(57)【要約】      （修正有） 【課題】横幅の伸縮を簡単な手作業で行うことができ、横幅を伸縮させる時間を短縮できる横幅伸縮パイプ家具を提供する。【解決手段】横幅伸縮パイプ家具１は、左方向補強支持棒５が後方の左上部縦支持棒１９ａと横支持棒４の略中央部のところに斜め傾斜した状態で結合され、右方向補強支持棒６が横支持棒４の左方向補強支持棒５の取付位置の右方向側のところに斜め傾斜した状態で結合されているので、左方向補強支持棒５と右方向補強支持棒６とはハの字形状の形態で結合され、そして、その左方向補強支持棒５と横支持棒４をそれぞれ別々に伸縮設定させることにより、横幅伸縮パイプ家具１の横幅の伸縮を簡単な手作業で行うことができるとともに、真っすぐに傾かないように正確に横幅伸縮パイプ家具１の横幅を伸縮させる時間を短縮することができる。【選択図】図４
0003228219.tif 000002
【実用新案登録請求の範囲】
【請求項１】
横幅を伸縮させることができる横幅伸縮パイプ家具であって、
前後方向および左右方向にそれぞれ設けられた縦支持棒と、
左方向側および右方向側のそれぞれで、前方側の前記縦支持棒と後方側の前記縦支持棒とに結合された側方支持棒と、
後方側で、左方向側の前記縦支持棒と右方向側の前記縦支持棒とに結合され、長手方向に伸縮自在に設けられた横支持棒と、
前記横支持棒と後方の左方向側の前記縦支持棒とに斜め傾斜した状態で結合された左方向補強支持棒と、
前記横支持棒の前記左方向補強支持棒の取付位置の右方向側のところと後方の右方向側の前記縦支持棒とに斜め傾斜した状態で結合された右方向補強支持棒とを、有し、
前記左方向補強支持棒と前記右方向補強支持棒の少なくとも１つは、長手方向に伸縮自在に構成され、
前記左方向補強支持棒と前記右方向補強支持棒の少なくとも１つと前記横支持棒をそれぞれ別々に伸縮設定させることにより、横幅を容易かつ正確に伸縮させることができる横幅伸縮パイプ家具。
【請求項２】
前記左方向補強支持棒と前記右方向補強支持棒のいずれか１つのみが長手方向に伸縮自在に構成され、
前記左方向補強支持棒と前記右方向補強支持棒のいずれか１つのみおよび前記横支持棒をそれぞれ別々に伸縮設定させることにより、横幅を容易かつ正確に伸縮させることができる請求項１記載の横幅伸縮パイプ家具。
【請求項３】
前方側および後方側で、左方向側の前記縦支持棒と右方向側の前記縦支持棒とに結合され、長手方向に伸縮自在に設けられた棚板横支持棒と、
前方側および後方側の前記棚板横支持棒に係止支持される棚板と、さらに有し、
前記左方向補強支持棒と前記右方向補強支持棒のいずれか１つ、前記横支持棒および前記棚板横支持棒をそれぞれ別々に伸縮設定させることにより、横幅を容易かつ正確に伸縮させることができる請求項２記載の横幅伸縮パイプ家具。
【請求項４】
前記左方向補強支持棒と前記右方向補強支持棒のいずれか１つ、前記横支持棒、および前記棚板横支持棒は、外管と、該外管の一端部に摺動可能に挿入された内管と、前記外管の前記内管挿入側で前記内管を該外管に固定させる固定具と、をそれぞれ有し、
前記固定具は、前記外管から出ている前記内管の長さが調整されたところで、前記内管を前記外管に固定させることを特徴とする請求項３記載の横幅伸縮パイプ家具。
【請求項５】
前記外管は、内管挿入側にネジ孔が形成され、
前記固定具は、前記外管のネジ孔と螺合されるネジ部と  該ネジ部の端側に設けられた取っ手部とを有するハンドル付きネジから構成され、該取っ手部を回転させることにより、前記内管を前記外管に固定させることを特徴とする請求項４記載の横幅伸縮パイプ家具。
【請求項６】
前記左方向補強支持棒および前記右方向補強支持棒の少なくとも１つは、前記横支持棒の略中央部で結合されていることを特徴とする請求項１記載の横幅伸縮パイプ家具。
【考案の詳細な説明】
【技術分野】
【０００１】
本考案は、横幅を伸縮させることができる横幅伸縮パイプ家具に関するものである。
【背景技術】
【０００２】
従来から横幅を伸縮させることができる横幅伸縮パイプ家具が知られている。この種の横幅伸縮パイプ家具（伸縮固定構造を具備する家具製品）として、縦方向棒１１１が４個配置され、その隣接する縦方向棒１１１に伸縮横方向棒１１２がネジにより連結されることにより、直方体形状のフレーム１０１が構成されている（図９参照）。そして、この伸縮横方向棒１１２は、フレーム１０１の長さ方向に伸縮させることができる。また、フレーム１０１の底部付近には、フレーム１０１手前側の２個の縦方向棒１１１と連結する「Ｘ」型支持構造の伸縮連結フレーム１０２が設けられている。ここで、図９は従来の伸縮固定構造を具備する家具製品を示す構造図である。
【０００３】
伸縮連結フレーム１０２は、中枢部１２１と２個の伸縮連結部１２２から構成され、伸縮連結部１２２は２個の伸縮連結棒２２１と位置決め部２２２が含まれ、２個の伸縮連結棒２２１は平行に配置されている（図９参照）。また、位置決め部２２２は、２個の伸縮連結棒２２１についてそれぞれのＸ型形状中間側の端部にそれぞれ取り付けられ、２個の伸縮連結棒２２１はそれぞれ滑動可能に移動することができる。また、伸縮連結フレーム１０２の他方の伸縮連結部１２２も同様に、伸縮連結部１２２は２個の伸縮連結棒２２１と位置決め部２２２が含まれ、２個の伸縮連結棒２２１は平行に配置されている。また、位置決め部２２２は、２個の伸縮連結棒２２１についてそれぞれのＸ型形状中間側の端部にそれぞれ取り付けられ、２個の伸縮連結棒２２１はそれぞれ滑動可能に移動することができる。
【０００４】
中枢部１２１は、２個の第一滑動槽２１１１が形成された第一結合部２１１と、２個の第二滑動槽２１２１が形成された第二結合部２１２と、第一結合部２１１と第二結合部２１２を結合させるネジからなる結合部２１３から構成されている（図１０参照）。そして、第一結合部２１１の第一滑動槽２１１１に伸縮連結棒２２１が保持されるとともに  第二結合部２１２の第二滑動槽２１２１に伸縮連結棒２２１が保持されながら、結合部２１３により第一結合部２１１と第二結合部２１２が結合されている。ここで、図１０は従来の伸縮固定構造を具備する家具製品の中枢部付近を示す構造図である。そして、横幅伸縮パイプ家具（伸縮固定構造を具備する家具製品）は、使用者により伸縮横方向棒１１２が伸縮されることにより、その伸縮横方向棒１１２の伸縮と連動して伸縮連結フレーム２が伸縮されるというものであった。
【先行技術文献】
【特許文献】
【０００５】
【特許文献１】実用新案登録第３２１９８１４号公報
【考案の概要】
【考案が解決しようとする課題】
【０００６】
しかしながら、従来の横幅伸縮パイプ家具（伸縮固定構造を具備する家具製品）は、上部の伸縮横方向棒１１２が伸縮されることにより、それと連動して下部に設けられた伸縮連結フレーム１０２が伸縮されるものであるので、上部の伸縮横方向棒１１２を伸縮させても、下部の伸縮連結部１２２が中枢部１２１を介してスムーズに伸縮させることができず、伸縮連結フレーム１０２を正確に「Ｘ」型構造にすることができないという問題があった。また、伸縮連結フレーム１０２が正確に「Ｘ」型構造にできない場合に、正確な「Ｘ」型構造になるよう手動で伸縮連結棒２２１を調整させようとしても、「Ｘ」型構造の一方の伸縮連結棒２２１を動かすと他方の伸縮連結棒２２１も動いてしまい縦方向棒１１１を正確に真っすぐさせるのに多くの作業時間が要することになるという問題があった。
【０００７】
本考案は、上記問題点に鑑みてなされたもので、横幅の伸縮を簡単な手作業で行うことができるとともに、横幅を伸縮させる時間を短縮することができる横幅伸縮パイプ家具を提供することを目的とする。
【課題を解決するための手段】
【０００８】
上記課題を解決し上記目的を達成するために、本考案のうち第１の態様に係るものは、横幅を伸縮させることができる横幅伸縮パイプ家具であって、縦方向に延び、前後方向および左右方向にそれぞれ設けられた縦支持棒と、左方向側および右方向側のそれぞれで、前方側の縦支持棒と後方側の縦支持棒とに結合された側方支持棒と、後方側で、左方向側の縦支持棒と右方向側の縦支持棒とに結合され、長手方向に伸縮自在に設けられた横支持棒と、横支持棒と後方の左方向側の縦支持棒とに斜め傾斜した状態で結合された左方向補強支持棒と、横支持棒の左方向補強支持棒の取付位置の右方向側のところと後方の右方向側の縦支持棒とに斜め傾斜した状態で結合された右方向補強支持棒とを、有し、左方向補強支持棒と右方向補強支持棒の少なくとも１つは、長手方向に伸縮自在に構成され、左方向補強支持棒と右方向補強支持棒の少なくとも１つと横支持棒をそれぞれ別々に伸縮設定させることにより、横幅を容易かつ正確に伸縮させることができることを特徴とするものである。
【０００９】
本考案によれば、左方向補強支持棒が後方の左方向側の縦支持棒と横支持棒とに斜め傾斜した状態で結合され、また右方向補強支持棒が横支持棒の左方向補強支持棒の取付位置の右方向側のところと後方の右方向側の縦支持棒とに斜め傾斜した状態で結合されているので、左方向補強支持棒と右方向補強支持棒とはハの字形状の形態で結合され、そして、その左方向補強支持棒と右方向補強支持棒の少なくとも１つと横支持棒をそれぞれ別々に伸縮設定させることにより、横幅伸縮パイプ家具の横幅の伸縮を簡単な手作業で行うことができるとともに、横幅を伸縮させる時間を短縮することができる。
【００１０】
本考案のうち第２の態様に係るものは、第１の態様に係る横幅伸縮パイプ家具であって、左方向補強支持棒と右方向補強支持棒のいずれか１つのみが長手方向に伸縮自在に構成され、左方向補強支持棒と右方向補強支持棒のいずれか１つのみおよび横支持棒をそれぞれ別々に伸縮設定させることにより、横幅を容易かつ正確に伸縮させることができるものである。
【００１１】
本考案によれば、左方向補強支持棒と右方向補強支持棒のいずれか１つのみおよび横支持棒をそれぞれ別々に伸縮設定させることにより、横幅伸縮パイプ家具の横幅の伸縮を簡単な手作業で行うことができるとともに、横幅を伸縮させる時間を短縮することができる。
【００１２】
本考案のうち第３の態様に係るものは、第２の態様に係る横幅伸縮パイプ家具であって、前方側および後方側で、左方向側の縦支持棒と右方向側の縦支持棒とに結合され、長手方向に伸縮自在に設けられた棚板横支持棒と、前方側および後方側の前記棚板横支持棒に係止支持される棚板と、さらに有し、左方向補強支持棒と右方向補強支持棒のいずれか１つ、横支持棒および棚板横支持棒をそれぞれ別々に伸縮設定させることにより、横幅を容易かつ正確に伸縮させることができるものである。
【００１３】
本考案によれば、前方側および後方側の前記棚板横支持棒に係止支持される棚板が設けられているので、棚板上にいろいろな物を載置することができ、そして、その棚板横支持棒と、左方向補強支持棒と右方向補強支持棒の少なくとも１つと、横支持棒をそれぞれ別々に伸縮設定させることにより、横幅伸縮パイプ家具の横幅の伸縮を簡単な手作業で行うことができるとともに、横幅を伸縮させる時間を短縮することができる。
【００１４】
本考案のうち第４の態様に係るものは、第３の態様に係る横幅伸縮パイプ家具であって、左方向補強支持棒と右方向補強支持棒のいずれか１つ、横支持棒、および棚板横支持棒は、外管と、外管の一端部に摺動可能に挿入された内管と、外管の内管挿入側で内管を外管に固定させる固定具と、をそれぞれ有し、固定具は、外管から出ている内管の長さが調整されたところで、内管を外管に固定させることを特徴とするものである。
【００１５】
本考案によれば、左方向補強支持棒と右方向補強支持棒のいずれか１つ、横支持棒、および棚板横支持棒が、外管と、外管の一端部に摺動可能に挿入された内管と、外管の内管挿入側で内管を外管に固定させる固定具とを有した構成にしているので、内管の外管外部に出ている長さを調整することにより、横幅伸縮パイプ家具の横幅の伸縮を簡単な手作業で行うことができる。
【００１６】
本考案のうち第５の態様に係るものは、第４の態様に係る横幅伸縮パイプ家具であって、外管は、内管挿入側にネジ孔が形成され、固定具は、外管のネジ孔と螺合されるネジ部と  ネジ部の端側に設けられた取っ手部とを有するハンドル付きネジから構成され、取っ手部を回転させることにより、内管を外管に固定させることを特徴とするものである。
【００１７】
本考案によれば、固定具がハンドル付きネジから構成されているので、取っ手部を回転させることにより、横幅伸縮パイプ家具の横幅の伸縮を簡単な手作業で行うことができる。
【００１８】
本考案のうち第６の態様に係るものは、第１の態様に係る横幅伸縮パイプ家具であって、左方向補強支持棒および右方向補強支持棒の少なくとも１つは、横支持棒の略中央部で結合されていることを特徴とするものである。
【００１９】
本考案によれば、左方向補強支持棒および右方向補強支持棒の少なくとも１つが横支持棒の略中央部で結合しているので、十分な強度で横幅伸縮パイプ家具を補強することができる。
【考案の効果】
【００２０】
本考案によれば、左方向補強支持棒と右方向補強支持棒の少なくとも１つと横支持棒をそれぞれ別々に伸縮設定させることにより、横幅伸縮パイプ家具の横幅の伸縮を簡単な手作業で行うことができるとともに、横幅を伸縮させる時間を短縮することができる。
【図面の簡単な説明】
【００２１】
【図１】（ａ）本考案の一実施形態における横幅伸縮パイプ家具の横幅を短くした場合の斜視図である。  （ｂ）同横幅伸縮パイプ家具の横幅を長くした場合の斜視図である。
【図２】（ａ）同横幅伸縮パイプ家具（棚板なし）の横幅を短くした場合の斜視図である。  （ｂ）同横幅伸縮パイプ家具（棚板なし）の横幅を長くした場合の斜視図である。
【図３】（ａ）同横幅伸縮パイプ家具の横幅を短くした場合の上面図である。    （ｂ）同横幅伸縮パイプ家具の横幅を長くした場合の上面図である。  （ｃ）同横幅伸縮パイプ家具の側面図である。
【図４】同横幅伸縮パイプ家具の分解斜視図である。
【図５】同横幅伸縮パイプ家具の右上部側方フレームと右下部側方フレームの結合方法を示す図である。
【図６】同横幅伸縮パイプ家具の横幅伸縮方法のフローチャートである。
【図７】同横幅伸縮パイプ家具の横幅を短くした場合の横幅伸縮作業図である。
【図８】同横幅伸縮パイプ家具の横幅を長くした場合の横幅伸縮作業図である。
【図９】従来の伸縮固定構造を具備する家具製品を示す構造図である。
【図１０】同家具製品の中枢部付近を示す構造図である。
【考案を実施するための形態】
【００２２】
以下、本考案の横幅伸縮パイプ家具の一実施形態について図面を参照にしながら説明する。ここで、図１（ａ）は本考案の一実施形態における横幅伸縮パイプ家具の横幅を短くした場合の斜視図であり、図１（ｂ）は同横幅伸縮パイプ家具の横幅を長くした場合の斜視図であり、図２（ａ）は同横幅伸縮パイプ家具（棚板なし）の横幅を短くした場合の斜視図であり、図２（ｂ）は同横幅伸縮パイプ家具（棚板なし）の横幅を長くした場合の斜視図であり、図３（ａ）は同横幅伸縮パイプ家具の横幅を短くした場合の上面図であり、図３（ｂ）は同横幅伸縮パイプ家具の横幅を長くした場合の上面図であり、図３（ｃ）は同横幅伸縮パイプ家具の側面図であり、図４は同横幅伸縮パイプ家具の分解斜視図である。
【００２３】
図１〜図４に示すように、横幅伸縮パイプ家具１は、右側方フレーム２と、左側方フレーム３と、横支持棒４と、左方向補強支持棒５と、右方向補強支持棒６と、棚板横支持棒７と、棚板８とを有している。
【００２４】
右側方フレーム２は、右上部側方フレーム２ａと、その右上部側方フレーム２ａの下部に右下部側方フレーム２ｂを有している（図４参照）。
【００２５】
右上部側方フレーム２ａは、右上部縦支持棒９ａと、右上部側方支持棒１０ａと、側方引掛け棒１１ａとを有し、また、右下部側方フレーム２ｂは、右下部縦支持棒９ｂと、右下部側方支持棒１０ｂとを有している。
【００２６】
右上部縦支持棒９ａは、スチールを材質とし、縦方向に延び、横断面が中空四角形状から形成され、前後方向に２本配されている。そして、右上部縦支持棒９ａの外側面（右側面）と内側面（左側面）には、外側面から内側面に貫通させて縦方向に複数個形成された横支持棒ネジ挿入孔１２ａが複数個形成されている（図４参照）。また、右下部縦支持棒９ｂは、右上部縦支持棒９ａと同様、スチールを材質とし、縦方向に延び、横断面が中空四角形状から形成され、前後方向に２本配されている。そして、右下部縦支持棒９ｂの下部には、ネジ部１３ａの下に脚支持部１３ｂが設けられたアジャスター１３が設けられている（図１（ｃ）参照）。そして、ネジ部１３ａは、右下部縦支持棒９ｂの下端の縦支持棒下面ネジ孔３４に挿入螺合され、右下部縦支持棒９ｂと結合される。このように、横幅伸縮パイプ家具１の下部の４つのアジャスター１３が調節されることにより、横幅伸縮パイプ家具１の安定性を保持させることができる。そして、右上部縦支持棒９ａと右下部縦支持棒９ｂから右縦支持棒９が構成され、また、右縦支持棒９と後述する左縦支持棒１９から「支柱」といわれる縦支持棒１５が構成されている。すなわち、右上部縦支持棒９ａ、右下部縦支持棒９ｂ、右縦支持棒９、右縦支持棒９、および左縦支持棒１９は、すべて縦支持棒１５ということができる。なお、本実施形態では、右上部縦支持棒９ａ（右下部縦支持棒９ｂ）を前後方向に２本配されるようにしたが、これに限らず、前後方向に２本以外の複数本配するようにしてもよい。また、本実施形態では、右上部縦支持棒９ａ（右下部縦支持棒９ｂ）をスチールを材質として形成させたが、これに限らず、スチール以外の金属や樹脂などで形成させるようにしてもよい。材質については、以下で説明する左側方フレーム３、横支持棒４、左方向補強支持棒５、右方向補強支持棒６、棚板横支持棒７、棚板８なども右上部縦支持棒９ａと同様であるので、以下での説明は省略する。
【００２７】
右上部側方支持棒１０ａは、横断面が中空四角形状で、端部が前方側の右上部縦支持棒９ａの上端側面と後方側の右上部縦支持棒９ａの上端側面とに一体的に結合されている。また、右下部側方支持棒１０ｂは、右上部側方支持棒１０ａと同様、横断面が中空四角形状で、端部が前方側の右下部縦支持棒９ｂの上部側面（下部側面）と後方側の右下部縦支持棒９ｂの上部側面（下部側面）とに一体的に結合されている。なお、本実施形態では、右上部側方支持棒１０ａを右上部縦支持棒９ａの上端側面に１本設けたが、これに限らず、上端を含めその上端の下部の位置にも設けるようにしてもよく、また、本実施形態では、右下部側方支持棒１０ｂを右下部縦支持棒９ｂの上部側面（下部側面）に２本設けたが、これに限らず、上部側面（下部側面）を含めその間の位置にも設けるようにしてもよい。
【００２８】
側方引掛け棒１１ａは、前方側の右上部縦支持棒９ａと後方側の右上部縦支持棒９ａとに一体的に結合されている。具体的には、右上部側方支持棒１０ａの下部に、右上部側方支持棒１０ａと平行に、等間隔に６本設けられている。また、側方引掛け棒１１ａは、スチールを材質とし、横断面が細い円形形状から形成されている。
【００２９】
右上部側方フレーム２ａと右下部側方フレーム２ｂは、連結金具１６を用いて結合される。具体的には、右下部縦支持棒９ｂの上端面から中空内部に連結金具１６の下端部が挿入され、そして、連結金具１６は、右下部縦支持棒９ｂの上部の側面を貫通させて形成された連結金具ネジ挿入孔１７ｂを介して、連結金具ネジ１８ｂにより固定される（図５参照）。すなわち、右下部縦支持棒９ｂの外側面から連結金具ネジ挿入孔１７ｂに連結金具ネジ１８ｂが挿入され、連結金具１６のネジ挿入孔１６ｂを介して、連結金具ネジ１８ｂが右下部縦支持棒９ｂの上端に固定される。そして、右下部縦支持棒９ｂの上端部から少し出た連結金具１６が右上部縦支持棒９ａの下端面から中空内部に挿入され、そして、右上部縦支持棒９ａの外側面（右側面）から連結金具ネジ挿入孔１７ａに連結金具ネジ１８ａが挿入され、連結金具１６のネジ挿入孔１６ａを貫通させて、右上部側方フレーム２ａと右下部側方フレーム２ｂとが結合される。ここで、図５は本考案の一実施形態における横幅伸縮パイプ家具の右上部側方フレームと右下部側方フレームの結合方法を示す図である。
【００３０】
左側方フレーム３は、左上部側方フレーム３ａと、その左上部側方フレーム３ａの下部に左下部側方フレーム３ｂを有している（図１参照）。
【００３１】
左上部側方フレーム３ａは、左上部縦支持棒１９ａと、左上部側方支持棒２０ａと、側方網構成部２１ａとを有し、また、左下部側方フレーム３ｂは、左下部縦支持棒１９ｂと、左下部側方支持棒２０ｂとを有している。そして、左上部縦支持棒１９ａと右上部縦支持棒１９ｂから左支持棒１９が構成されている。
【００３２】
左上部側方フレーム３ａの「左上部縦支持棒１９ａ」および「左上部側方支持棒２０ａ」については、右上部側方フレーム２ａの「右上部縦支持棒９ａ」および「右上部側方支持棒１０ａ」と同様の形態であり、また、左下部側方フレーム３ｂの「左下部縦支持棒１９ｂ」および「左下部側方支持棒２０ｂ」については、右下部側方フレーム２ｂの「右下部縦支持棒９ｂ」および「右下部側方支持棒１０ｂ」と同様の形態であるので、上記説明で使用した構成については、同一符号を用い、説明は省略する。
【００３３】
「左上部側方フレーム３ａ」と「左下部側方フレーム３ｂ」は、上述したように、「右上部側方フレーム２ａ」と「右下部側方フレーム２ｂ」と同様の形状をしているので、「右側方フレーム２」として「右上部側方フレーム２ａ」と「左下部側方フレーム３ｂ」を使用し、「左側方フレーム３」として「左上部側方フレーム３ａ」と「右下部側方フレーム２ｂ」として使用することもできる。この場合においては、「右上部側方フレーム２ａ」と「左下部側方フレーム３ｂ」が「右側方フレーム２」となり、「左上部側方フレーム３ａ」と「右下部側方フレーム２ｂ」が「左側方フレーム３」となる。
【００３４】
側方網構成部２１ａは、左上部側方支持棒２０ａの下部に、前方側の左上部縦支持棒１９ａと後方側の左上部縦支持棒１９ａとに一体的に結合されている。また、側方網構成部２１ａは、スチールを材質とし、断面が細い円形形状で格子状に形成されている。
【００３５】
横支持棒４は、後方側に下方に向かって、凸状部２５が形成されている。この凸状部２５には、後述する左方向補強支持棒５と右方向補強支持棒６が取り付けられるボルト挿入孔２５ａが形成されている（図４参照）。また、横支持棒４は、伸縮パイプから構成され、右下部縦支持棒９ｂと左下部縦支持棒１９ｂとを結合させ、長手方向に伸縮自在に設けられている。この横支持棒４は、外管４ｘと、外管４ｘの一端部に摺動可能に挿入された内管４ｙと、外管４ｘの内管挿入側で内管４ｙを外管に固定させるハンドル付きネジ４ｚ（固定具）とを有している。
【００３６】
外管４ｘは、内管４ｙが挿入される内管挿入側に横支持棒長さ調整固定孔２２（ネジ孔）が形成され、断面が中空円形形状で形成されている（図７、図８参照）。また、横支持棒４の外管４ｘは、六角ボルト２７が右下部縦支持棒９ｂの横支持棒ボルト挿入孔１２ｂを介し外管４ｘの側面の外管側面ボルト孔４αに挿入され螺合されることにより、右下部縦支持棒９ｂに取り付けられる（図７、図８参照）。また、内管４ｙは、断面が中空円形形状で、外管４ｘの径より少し小径に形成されている。そして、六角ボルト２７が左下部縦支持棒１９ｂの横支持棒ネジ挿入孔１２ｂを介し内管４ｙの側面の内管側面ボルト孔４βに挿入され螺合されることにより、横支持棒４の内管４ｙが左下部縦支持棒１９ｂに取り付けられる。また、ハンドル付きネジ４ｚは、ハンドル付きネジ取っ手部２４（取っ手部）が設けられ、横支持棒４の長さが調整されたところで、そのハンドル付きネジ４ｚのハンドル付きネジ取っ手部２４を回転させることにより、内管４ｙが外管４ｘに固定される。ここで、横支持棒４の長さの調整は、内管４ｙの外管４ｘから出ている長さを調整することにより行われる。なお、本実施形態では、内管４ｙを外管４ｘにハンドル付きネジ４ｚを用いて固定させたが、これに限らず、ハンドル付きネジ４ｚ以外の固定具を用いて内管４ｙを外管４ｘに固定させるようにしてもよい。
【００３７】
左方向補強支持棒５は、後方の左下部縦支持棒１９ｂと横支持棒４の略中央部とに斜め傾斜した状態で結合されている。ここで、横支持棒４の略中央部とは、横支持棒４を３等分した場合の真ん中部分のことである。この左方向補強支持棒５は、外管５ｘと、外管５ｘの一端部に摺動可能に挿入された内管５ｙと、外管５ｘの内管挿入側で内管５ｙを外管に固定させるハンドル付きネジ５ｚ（固定具）とから構成されている。なお、本実施形態では、左方向補強支持棒５を左下部縦支持棒１９ｂと横支持棒４の略中央部で結合させたが、これに限らず、左下部縦支持棒１９ｂと横支持棒４の略中央部以外のところとに斜め傾斜した状態で結合させるようにしてもよい。
【００３８】
外管５ｘは、内管５ｙが挿入される内管挿入側に左補強棒長さ調整孔２６（ネジ孔）が形成され、断面が中空円形形状で、左下部縦支持棒１９ｂが結合される他端部側には六角ボルト２７が挿入される左補強棒外管ボルト挿入孔２８が形成されている（図４、図７、図８参照）。また、左下部縦支持棒１９ｂの後方下部は、六角ボルト２７が挿入される左補強棒縦支持棒ボルト孔２９が形成されている（図４参照）。左方向補強支持棒５の外管５ｘは、六角ボルト２７が外管５ｘの左補強棒外管ボルト挿入孔２８を介し左下部縦支持棒１９ｂの左補強棒縦支持棒ボルト孔２９に挿入され螺合されることにより、左下部縦支持棒１９ｂに取り付けられる（図７、図８参照）。また、内管５ｙは、断面が中空円形形状で、外管５ｘの径より少し小径に形成され、横支持棒４が結合される他端部側には六角ボルト２７が挿入される左補強棒内管ボルト挿入孔３０が形成されている（図４、図７、図８参照）。また、横支持棒４の後下部は、上述したように、六角ボルト２７が挿入されるボルト挿入孔２５ａを有する凸状部２５が形成されている。そして、六角ボルト２７が内管５ｙの左補強棒内管ボルト挿入孔３０から横支持棒４の凸状部２５に形成されたボルト挿入孔２５ａに挿入され、そして反対面で止めナット３１と螺合させることにより、内管５ｙが横支持棒４に取り付けられる。ここで、左方向補強支持棒５が横支持棒４および左下部縦支持棒１９ｂに取付けられる際は、内管５ｙが外管５ｘに挿入した状態で行なわれる。また、ハンドル付きネジ５ｚは、ハンドル付きネジ取っ手部２４（取っ手部）が設けられ、左方向補強支持棒５の長さが調整されたところで、そのハンドル付きネジ５ｚのハンドル付きネジ取っ手部２４を回転させることにより、内管５ｙが外管５ｘに固定される（図７、図８参照）。ここで、左方向補強支持棒５の長さの調整は、内管５ｙの外管５ｘから出ている長さを調整することにより行われる。このように、左方向補強支持棒５は、長手方向の長さが伸縮自在に構成されている。なお、本実施形態では、内管５ｙを外管５ｘにハンドル付きネジ５ｚを用いて固定させたが、これに限らず、ハンドル付きネジ５ｚ以外の固定具を用いて内管５ｙを外管５ｘに固定させるようにしてもよい。
【００３９】
右方向補強支持棒６は、後方の右下部縦支持棒９ｂと横支持棒４の左方向補強支持棒５の取付位置の右方向側の横支持棒４の略中央部とに斜め傾斜した状態で結合されている。すなわち、上述した左方向補強支持棒５と右方向補強支持棒６の少なくとも１つが横支持棒４の略中央部で結合していればよい。これにより、十分な強度で横幅伸縮パイプ家具１を補強することができる。また、右方向補強支持棒６は、断面が中空円形形状で、両端部に固定ネジ孔３２（３２ａ、３２ｂ）が形成されている（図４参照）。また、右下部縦支持棒９ｂの後方下部は、六角ボルト２７が挿入される右補強棒縦支持棒ボルト孔３３が形成されている（図４参照）。また、横支持棒４の後方下部は、六角ボルト２７が挿入されるボルト挿入孔２５ａを有する凸状部２５が形成されている。そして、六角ボルト２７が右方向補強支持棒６の一端部の固定ネジ孔３２ａから横支持棒４のボルト挿入孔２５ａに挿入され、そして反対面で止めナット３１と螺合させることにより、右方向補強支持棒６が横支持棒４に取り付けられ、また、六角ボルト２７が右方向補強支持棒６の他端部の固定ネジ孔３２ｂから右下部縦支持棒９ｂの後方下部の右補強棒縦支持棒ボルト孔３３に挿入され螺合されることにより、右方向補強支持棒６が縦支持棒９ｂに取り付けられる。このように、右方向補強支持棒６は、長手方向の長さを伸縮できない形態で構成されている。なお、本実施形態では、左方向補強支持棒５を長手方向の長さに伸縮自在に構成し、右方向補強支持棒６を長手方向の長さを伸縮できない形態で構成したが、これに限らず、上記の構成を用いて、左方向補強支持棒５を長手方向の長さに伸縮できない形態で構成し、右方向補強支持棒６を長手方向の長さが伸縮自在に構成するようにしてもよく、さらに、左方向補強支持棒５および右方向補強支持棒６のいずれも長手方向の長さが伸縮自在に構成するようにしてもよい。すなわち、左方向補強支持棒５および右方向補強支持棒６の少なくとも１つが長手方向の長さが伸縮自在に構成されるようにしてもよい。また、本実施形態では、右方向補強支持棒６を右下部縦支持棒９ｂと横支持棒４の左方向補強支持棒５の取付位置の右方向側の横支持棒４の略中央部で結合させたが、これに限らず、後方の右下部縦支持棒９ｂと横支持棒４の左方向補強支持棒５の取付位置の右方向側の他のところとに斜め傾斜した状態で結合させるようにしてもよい。
【００４０】
棚板横支持棒７は、棚板８を支持するために設けられ、横幅伸縮パイプ家具１の前方側と後方側で、右上部縦支持棒９ａと左上部縦支持棒１９ａとに結合され、長手方向に伸縮自在に設けられている。この棚板横支持棒７は、外管７ｘと、外管７ｘの一端部に摺動可能に挿入された内管７ｙと、外管７ｘの内管挿入側で内管４ｙを外管に固定させるハンドル付きネジ７ｚとから構成されている。ここで、この棚板横支持棒７の構造および長手方向に伸縮する方法については、横支持棒４とほぼ同様であるので、説明は省略する。そして、この棚板横支持棒７は、右上部縦支持棒９ａ（左上部縦支持棒９ｂ）の内側面から外側面に貫通させて縦方向に複数個形成された横支持棒ネジ挿入孔１２ａに取り付けられる。
【００４１】
棚板８は、上部に物品を載置させるために設けられ、矩形形状の平板で、棚板大８ａと、棚板大８ａより横幅が小さい棚板小８ｂとから構成されている。この棚板８は、棚板大８ａの上部に棚板小８ｂが一部重ねられた状態で、前方と後方が棚板横支持棒７に支持されている。具体的には、棚板８の前方側と後方側は、下方内側に向かう湾曲形状で形成され、その湾曲形状に形成された棚板８の部分が棚板横支持棒７に外周に沿って嵌め込まれることにより、棚板８が棚板横支持棒７に取り付けられる。
【００４２】
次に、本考案の一実施形態の横幅伸縮パイプ家具の横幅伸縮方法について説明する。ここで、図６は本考案の一実施形態における横幅伸縮パイプ家具の横幅伸縮方法のフローチャートであり、図７は同横幅伸縮パイプ家具の横幅を短くした場合の横幅伸縮作業図であり、図８は同横幅伸縮パイプ家具の横幅を長くした場合の横幅伸縮作業図である。
【００４３】
まず、Ｓ１において、横支持棒伸縮準備工程が実施される。この横支持棒伸縮準備工程では、横支持棒４（「棚板横支持棒７」含む）のハンドル付きネジ４ｚ（「棚板横支持棒７」の場合は「ハンドル付きネジ７ｚ」）のハンドル付きネジ取っ手部２４が回転され、横支持棒４（「棚板横支持棒７」含む）が伸縮できる状態にされる（図７参照）。そして、Ｓ２に進む。
【００４４】
Ｓ２において、左方向補強支持棒伸縮準備工程が実施される。この左方向補強支持棒伸縮準備工程では、左方向補強支持棒５のハンドル付きネジ５ｚのハンドル付きネジ取っ手部２４が回転され、左方向補強支持棒５が伸縮できる状態にされる（図７参照）。これにより、左下部縦支持棒１９ｂと横支持棒４ｂの略中央部とに斜め傾斜した状態で結合されている左方向補強支持棒５を伸縮させることができる。また、横支持棒４の左方向補強支持棒５の取付位置の右方向側のところに斜め傾斜した状態で結合されている右方向補強支持棒６については伸縮できない形態であるので、そのままの状態で設置させている。なお、左方向補強支持棒５が伸縮されず、右方向補強支持棒６のみが伸縮される場合は、本工程の代わりに、右方向補強支持棒６のみが伸縮できる状態にされる右方向補強支持棒伸縮準備工程となり、また、左方向補強支持棒５と右方向補強支持棒６のいずれも伸縮される場合は、左方向補強支持棒５および右方向補強支持棒６が伸縮できる状態にされる補強支持棒伸縮準備工程となる。また、本実施形態では、左方向補強支持棒伸縮準備工程が、横支持棒伸縮準備工程が実施された後に行われるようにしたが、これに限らず、左方向補強支持棒伸縮準備工程を横支持棒伸縮準備工程が実施される前に行われるようにしてもよい。すなわち、横支持棒伸縮準備工程と左方向補強支持棒伸縮準備工程の順序を逆にしてもよい。ここで、右方向補強支持棒６が伸縮される場合は、横支持棒４を左右逆（外管４ｘと内管４ｙを左右逆）にして、右下部縦支持棒９ｂと左下部縦支持棒１９ｂに結合されるとともに、棚板横支持棒７についても、左右逆（外管７ｘと内管７ｙを左右逆）にして、右上部縦支持棒９ａと左上部縦支持棒１９ａに結合される。そして、Ｓ３に進む。
【００４５】
Ｓ３において、横支持棒長さ設定工程が実施される。この横支持棒長さ設定工程では、横支持棒４（「棚板横支持棒７」含む）の外管４ｘ（「棚板横支持棒７」の場合は「外管７ｘ」）から出ている内管４ｙ（「棚板横支持棒７」の場合は「内管７ｙ」）の長さを調整することにより、横支持棒４（「棚板横支持棒７」含む）の長さの調整が行われ、そして、横支持棒４（「棚板横支持棒７」含む）の長さが調整されたところで、ハンドル付きネジ４ｚ（「棚板横支持棒７」の場合は「ハンドル付きネジ７ｚ」）のハンドル付きネジ取っ手部２４を回転させて、横支持棒４（「棚板横支持棒７」含む）の長さが設定される（図８参照）。そして、Ｓ４に進む。
【００４６】
Ｓ４において、左方向補強支持棒長さ設定工程が実施される。この左方向補強支持棒長さ設定工程では、左方向補強支持棒５の外管５ｘから出ている内管５ｙの長さを調整することにより、左方向補強支持棒５の長さの調整が行われ、そして、左方向補強支持棒５の長さが調整されたところで、ハンドル付きネジ５ｚのハンドル付きネジ取っ手部２４を回転させて、左方向補強支持棒５の長さが設定される（図８参照）。ここで、この左方向補強支持棒５の長さの設定は、横支持棒４の設定された長さから縦支持棒９が真っすぐ鉛直方向に向くように行われる。
【００４７】
以上説明したように、左方向補強支持棒５が後方の左上部縦支持棒１９ａと横支持棒４の略中央部のところに斜め傾斜した状態で結合され、右方向補強支持棒６が横支持棒４の左方向補強支持棒５の取付位置の右方向側のところに斜め傾斜した状態で結合されているので、左方向補強支持棒５と右方向補強支持棒６とはハの字形状の形態で結合され、そして、その左方向補強支持棒５と横支持棒４をそれぞれ別々に伸縮設定させることにより、横幅伸縮パイプ家具１の横幅の伸縮を簡単な手作業で行うことができるとともに、真っすぐに傾かないように正確に横幅伸縮パイプ家具１の横幅を伸縮させる時間を短縮することができる。
【００４８】
今回開示された実施の形態はすべての点で例示であって制限的なものではないと考えられるべきである。本考案の範囲は上記した説明ではなくて特許請求の範囲によって示され、特許請求の範囲と均等の意味及び範囲内でのすべての変更が含まれることが意図される。
【符号の説明】
【００４９】
１    横幅伸縮パイプ家具
２    右側方フレーム
２ａ  右上部側方フレーム
２ｂ  右下部側方フレーム
３    左側方フレーム
３ａ  左上部側方フレーム
３ｂ  左下部側方フレーム
４    横支持棒
４ｘ  外管
４ｙ  内管
４ｚ  ハンドル付きネジ
４α  外管側面ボルト孔
４β  内管側面ボルト孔
５    左方向補強支持棒
５ｘ  外管
５ｙ  内管
５ｚ  ハンドル付きネジ
６    右方向補強支持棒
７    棚板横支持棒
７ｘ  外管
７ｙ  内管
７ｚ  ハンドル付きネジ
８    棚板
８ａ  棚板大
８ｂ  棚板小
９    右縦支持棒
９ａ  右上部縦支持棒
９ｂ  右下部縦支持棒
１０ａ  右上部側方支持棒
１０ｂ  右下部側方支持棒
１１ａ  側方引掛け棒
１２ａ  横支持棒ネジ挿入孔
１３    アジャスター
１３ａ  ネジ部
１３ｂ  脚支持部
１５    縦支持棒
１６    連結金具
１７ａ  連結金具ネジ挿入孔
１７ｂ  連結金具ネジ挿入孔
１８ａ  連結金具ネジ
１８ｂ  連結金具ネジ
１９ａ  左上部縦支持棒
１９ｂ  左下部縦支持棒
２０ａ  左上部側方支持棒
２０ｂ  左下部側方支持棒
２１ａ  側方網構成部
２２    横支持棒長さ調整固定孔
２４    ハンドル付きネジ取っ手部
２５    凸状部
２５ａ  ボルト挿入孔
２６    左補強棒長さ調整孔
２７    六角ボルト
２８    左補強棒外管ボルト挿入孔
２９    左補強棒縦支持棒ボルト孔
３０    左補強棒内管ボルト挿入孔
３１    止めナット
３２    固定ネジ孔
３３    右補強棒縦支持棒ボルト孔
３４    縦支持棒下面ネジ孔
【図１】
0003228219.tif 000003
【図２】
0003228219.tif 000004
【図３】
0003228219.tif 000005
【図４】
0003228219.tif 000006
【図５】
0003228219.tif 000007
【図６】
0003228219.tif 000008
【図７】
0003228219.tif 000009
【図８】
0003228219.tif 000010
【図９】
0003228219.tif 000011
【図１０】
0003228219.tif 000012